(57)【要約】【課題】眼鏡（特に、度付き眼鏡）を装着したままの状態で、花粉から眼を保護する等の防塵機能を効果的に奏する安価な眼鏡用防塵具を提供することを課題とする。【解決手段】左右一対のレンズ５１及び左右一対のリム５２を備える眼鏡５に対して着脱自在に係止される眼鏡用防塵具１であって、眼鏡５に対して係止された状態において、左右一対のレンズ５１後方にそれぞれ位置する左右一対の筒状部材２と、各筒状部材２の上下それぞれの部位に、各筒状部材の前方周縁部２１の前方位置にまで突出するように取り付けられ、各レンズ５１の外周部又は各リム５２の外周部に各筒状部材２を係止するための係止部３とを備え、各筒状部材２は、可撓性を有し、各筒状部材２の側壁部の左右何れか一方側の部位には、前方周縁部２１から後方周縁部２２にかけて切断された切断部２４が設けられていることを特徴とする眼鏡用防塵具を提供する。【選択図】図１
2010211169.tif 000002
【特許請求の範囲】
【請求項１】
左右一対のレンズ及び前記左右一対のレンズを保持する左右一対のリムを備える眼鏡に対して着脱自在に係止される眼鏡用防塵具であって、
前記眼鏡に対して係止された状態において、前記左右一対のレンズ後方にそれぞれ位置する左右一対の筒状部材と、
前記各筒状部材の上下それぞれの部位に、前記各筒状部材の前方周縁部の前方位置にまで突出するように取り付けられ、前記各レンズの外周部又は前記各リムの外周部に前記各筒状部材を係止するための係止部とを備え、
前記各筒状部材は、可撓性を有し、前記各筒状部材の側壁部の左右何れか一方側の部位には、前記前方周縁部から後方周縁部にかけて切断された切断部が設けられていることを特徴とする眼鏡用防塵具。
【請求項２】
前記各係止部は、
前記レンズの外周部又は前記リムの外周部に係止可能なスライダーと、
前記筒状部材に取り付けられ、前記筒状部材の前方周縁部に対する前方への前記スライダーの突出量を調整可能に、前記スライダーを前後方向に移動可能に案内するガイドと、
前記スライダーの前後方向の移動を阻害する阻害部とを備えることを特徴とする請求項１に記載の眼鏡用防塵具。
【請求項３】
前記側壁部の左右何れか一方側の部位の前記切断部を挟んだ上下両側の部位が弾性体で連結されていることを特徴とする請求項１又は２に記載の眼鏡用防塵具。
【請求項４】
左右一対のレンズを備えるリムレス眼鏡に対して着脱自在に係止される眼鏡用防塵具であって、
前記リムレス眼鏡に対して係止された状態において、前記左右一対のレンズ後方にそれぞれ位置する左右一対の筒状部材と、
前記各筒状部材の上下それぞれの部位に、前記各筒状部材の前方周縁部の前方位置にまで突出するように取り付けられ、前記各レンズの外周部に前記各筒状部材を係止するための係止部とを備え、
前記各筒状部材は、可撓性を有し、前記各筒状部材の側壁部の左右何れか一方側の部位には、前記前方周縁部から後方周縁部にかけて切断された切断部が設けられていることを特徴とする眼鏡用防塵具。
【請求項５】
前記各係止部は、
前記レンズの外周部に係止可能なスライダーと、
前記筒状部材に取り付けられ、前記筒状部材の前方周縁部に対する前方への前記スライダーの突出量を調整可能に、前記スライダーを前後方向に移動可能に案内するガイドと、
前記スライダーの前後方向の移動を阻害する阻害部とを備えることを特徴とする請求項３に記載の眼鏡用防塵具。
【請求項６】
前記側壁部の左右何れか一方側の部位の前記切断部を挟んだ上下両側の部位が弾性体で連結されていることを特徴とする請求項１又は２に記載の眼鏡用防塵具。
【発明の詳細な説明】
【技術分野】
【０００１】
本発明は、眼鏡に対して着脱自在に係止される眼鏡用防塵具に関し、特に、眼鏡を装着したままの状態で、花粉から眼を保護する等の防塵機能を効果的に奏する安価な眼鏡用防塵具に関する。
【背景技術】
【０００２】
従来より、花粉の他、粉塵、飛翔、風圧等から眼を保護するべく、種々の防塵眼鏡が提案されている（例えば、特許文献１及び２参照）。
【０００３】
図１０に示すように、例えば、従来提案され実用化されている防塵眼鏡１０１は、それ自体を眼鏡として装着でき、顔部に固定できるように、耳に係合させるために湾曲した耳掛け部を有するテンプル１０２を備えた構成である。ここで、眼鏡（特に、度付き眼鏡の場合に問題となる）の装着者にとって、花粉等から眼を保護するべく防塵眼鏡１０１を装着するには、装着している度付き眼鏡の上から更に防塵眼鏡１０１を装着するか、或いは、装着している度付き眼鏡を外した上で防塵眼鏡１０１を装着する必要が生じる。
【０００４】
しかしながら、度付き眼鏡の上から更に防塵眼鏡１０１を装着する場合には、度付き眼鏡のテンプルと防塵眼鏡１０１のテンプル１０２とが重なり合うため、違和感を生じるのみならず、防塵眼鏡１０１のテンプル１０２が耳に密着せず外れたり位置ずれを生じたりし易いため、防塵機能が損なわれるという問題がある。また、度付き眼鏡と防塵眼鏡１０１とは別体であり、相互に連動するものではないため、互いの装着位置を調整し難く、ひいては防塵眼鏡１０１と顔部との間に広い隙間が生じ易くなる結果、防塵機能が損なわれるという問題もある。このような防塵機能の低下を少しでも抑止するべく、防塵眼鏡１０１の前枠１０３を顔部側に過度に押し付けると、度付き眼鏡も顔部側に過度に押し付けられる結果、圧迫感が増し装着者に不快感を与えてしまうという問題もある。
【０００５】
一方、装着している度付き眼鏡を外した上で防塵眼鏡１０１を装着する場合には、上記問題は生じないものの、当然に視力低下の問題が生じるため実用的ではない。防塵眼鏡１０１自体を度付き眼鏡とする構成も考えられるが、コストが掛ってしまうという問題がある。
【０００６】
従って、眼鏡（度付き眼鏡）に対して着脱自在に係止することが可能な眼鏡用防塵具を提案することが望まれている。
【０００７】
ここで、眼鏡に対して着脱自在に係止可能な構成を有するものとしては、従来より、いわゆる前掛眼鏡が提案されている（例えば、特許文献３参照）。
【０００８】
しかしながら、かかる前掛眼鏡は、サングラスを掛けた状態を得る目的で、或いは、度付き眼鏡の視力矯正を図る等の目的で提案されたものであって、眼鏡に対して着脱自在に係止可能であるものの、眼鏡に対して何ら防塵機能を奏するものではない。
【先行技術文献】
【特許文献】
【０００９】
【特許文献１】特開平１０−３２８２３０号公報
【特許文献２】特開２００１−３４３６１８号公報
【特許文献３】実用新案登録第３０５７８５２号公報
【発明の概要】
【発明が解決しようとする課題】
【００１０】
本発明は、かかる従来技術の問題点を解決するべくなされたものであり、眼鏡（特に、度付き眼鏡）が装着された状態で、花粉から眼を保護する等の防塵機能を効果的に奏する安価な眼鏡用防塵具を提供することを課題とする。
【課題を解決するための手段】
【００１１】
本発明は、左右一対のレンズ及び前記左右一対のレンズを保持する左右一対のリムを備える眼鏡に対して着脱自在に係止される眼鏡用防塵具であって、前記眼鏡に対して係止された状態において、前記左右一対のレンズ後方にそれぞれ位置する左右一対の筒状部材と、前記各筒状部材の上下それぞれの部位に、前記各筒状部材の前方周縁部の前方位置にまで突出するように取り付けられ、前記各レンズの外周部又は前記各リムの外周部に前記各筒状部材を係止するための係止部とを備え、前記各筒状部材は、可撓性を有し、前記各筒状部材の側壁部の左右何れか一方側の部位には、前記前方周縁部から後方周縁部にかけて切断された切断部が設けられていることを特徴とする眼鏡用防塵具を提供する。
【００１２】
本発明は、リムレス眼鏡にも適用できる眼鏡用防塵具を提供する。具体的には、本発明は、左右一対のレンズを備えるリムレス眼鏡に対して着脱自在に係止される眼鏡用防塵具であって、前記リムレス眼鏡に対して係止された状態において、前記左右一対のレンズ後方にそれぞれ位置する左右一対の筒状部材と、前記各筒状部材の上下それぞれの部位に、前記各筒状部材の前方周縁部の前方位置にまで突出するように取り付けられ、前記各レンズの外周部に前記各筒状部材を係止するための係止部とを備え、前記各筒状部材は、可撓性を有し、前記各筒状部材の側壁部の左右何れか一方側の部位には、前記前方周縁部から後方周縁部にかけて切断された切断部が設けられていることを特徴とする眼鏡用防塵具を提供する。
【００１３】
上述した２つの本発明に係る眼鏡用防塵具においては、左右一対の各筒状部材は、各筒状部材に取り付けられた係止部によって、リムを備える眼鏡の左右一対の各レンズの外周部又はリムを備える眼鏡の左右一対の各リムの外周部、あるいは、リムレス眼鏡の左右一対の各レンズの外周部に係止される。各係止部は各筒状部材の前方周縁部の前方位置にまで突出している。このため、各筒状部材は、各レンズの外周部又は各リムの外周部に係止されると、各レンズ又は各リムの後方に位置する。各筒状部材が各レンズ又は各リムの後方に位置すると、各筒状部材の内側の空間の前方が各レンズ又は各リムによって塞がれる。また、各筒状部材が各レンズ又は各リムの後方に位置するため、各筒状部材が各レンズの外周部又は各リムの外周部に係止された眼鏡を装着すると、各筒状部材の後方周縁部が装着者の左右それぞれの眼の周囲と当接し、各筒状部材の内側の空間の後方が装着者の顔部によって塞がれる。従って、各筒状部材が各レンズの外周部又は各リムの外周部に係止された眼鏡を装着した状態では、装着者の左右それぞれの眼が、各筒状部材、及び、各レンズ又は各リムによって覆われ、本発明に係る眼鏡用防塵具は防塵機能を奏する。
【００１４】
また、度付き眼鏡の各度付きレンズの外周部又は各リムの外周部に各筒状部材を係止し、該度付き眼鏡を装着すれば、防塵機能が奏されると共に、度付き眼鏡の度付きレンズによる視力の矯正が可能である。このため、本発明に係る眼鏡用防塵具が度付きレンズを備えなくても、視力の矯正が可能である。よって、本発明に係る眼鏡用防塵具は、度付きレンズを備えなくてもよいため、安価に製造できる。
【００１５】
また、本発明に係る眼鏡用防塵具の各筒状部材は、可撓性を有し、側壁部の左右何れか一方側の部位には、前方周縁部から後方周縁部にかけて切断された切断部が設けられている。このため、各筒状部材の切断部を挟んだ上下両側の部位を離間させて、各筒状部材の上下それぞれの部位に取り付けられた上下の係止部の間の距離を大きくすることができる。従って、例えば、次のようにして各筒状部材を各レンズの外周部又は各リムの外周部に係止できる。各筒状部材の切断部を挟んだ上下両側の部位を離間させて、上下の係止部の間の距離を各レンズ又は各リムの上下方向の寸法より大きくし、上下の係止部の間に各レンズ又は各リムを位置させ、上下の係止部の間の距離を小さくして、各レンズの外周部又は各リムの外周部に上下の係止部を係止することで、各筒状部材を各レンズの外周部又は各リムの外周部に係止できる。上下の係止部の間の距離を各レンズ又は各リムの上下方向の寸法より大きくすると、上下の係止部の間に各レンズ又は各リムを容易に位置させることができ、各レンズの外周部又は各リムの外周部への各筒状部材の係止が容易となる。よって、本発明に係る眼鏡用防塵具は、容易に眼鏡に係止できる。
【００１６】
また、上下の係止部の間の距離を各レンズの外周部又は各リムの外周部の上下方向の寸法に応じて調整することで、上下方向の寸法が異なる複数種の各レンズの外周部又は各リムの外周部に各筒状部材を係止できる。よって、本発明に係る眼鏡用防塵具は、レンズ又はリムの上下方向の寸法が異なる複数種の眼鏡に適用できる。
【００１７】
好ましくは、前記各係止部は、前記レンズの外周部又は前記リムの外周部に係止可能なスライダーと、前記筒状部材に取り付けられ、前記筒状部材の前方周縁部に対する前方への前記スライダーの突出量を調整可能に、前記スライダーを前後方向に移動可能に案内するガイドと、前記スライダーの前後方向の移動を阻害する阻害部とを備える構成とされる。
【００１８】
各レンズの外周部又は各リムの外周部に係止可能なスライダーは、各筒状部材の前方周縁部に対する前方への突出量を調整可能に、前後方向に移動可能に案内されている。スライダーの突出量を各レンズの外周部又は各リムの外周部の厚み方向の寸法に応じて調整すれば、外周部の厚み方向の寸法が異なる複数種の各レンズ又は各リムに各筒状部材を係止できる。従って、かかる好ましい構成の眼鏡用防塵具は、レンズの外周部又はリムの外周部の厚み方向の寸法が異なる複数種の眼鏡に適用できる。更に、かかる好ましい構成では、スライダーの前後方向の移動を阻害する阻害部を備える。このため、かかる好ましい構成においては、スライダーが不意に前方に移動し、スライダーの前方への突出量が大きくなることで、スライダーとレンズの外周部又はスライダーとリムの外周部との係止状態が解除され難く、本発明に係る眼鏡用防塵具を安定した状態で眼鏡に取り付けることができる。
【００１９】
好ましくは、前記側壁部の左右何れか一方側の部位の前記切断部を挟んだ上下両側の部位が弾性体で連結されている構成とされる。
【００２０】
切断部を挟んだ上下両側の部位が弾性体で連結されていることにより、上下両側の部位を所定の距離以上離間させると、弾性体が伸張し、弾性体に収縮力が生じる。このため、かかる好ましい構成においては、上下両側の部位が過度に離間し難く、上下両側の部位が過度に離間することにより各筒状部材が破損することが防止される。また、上下両側の部位を離間させる外力を各筒状部材に加えていない状態での上下の係止部の間の距離よりも、上下方向の寸法が大きい各レンズの外周部や各リムの外周部に各筒状部材を係止するには、上下両側の部位を離間させて、上下の係止部の間の距離を係止対象となる各レンズや各リムの上下方向の寸法と同等にする必要がある。上下両側の部位を離間させると、上下両側の部位の間の距離を元の長さに戻そうとする復元力と、上下両側の部位が離間することにより弾性体に生じる収縮力とによって、それ以上上下両側の部位が離間することが防止される。このため、かかる好ましい構成によれば、上述のように上下方向の寸法が大きい各レンズの外周部や各リムの外周部に各筒状部材が係止したとき以上に、上下両側の部位が大きく離間して、各レンズの外周部又は各リムの外周部と各係止部との係止状態が解除されることがより確実に防止される。よって、かかる好ましい構成によれば、上述のように上下方向の寸法が大きいレンズ又はリムを有する眼鏡に本発明に係る眼鏡用防塵具をより一層安定した状態で係止できる。
【００２１】
好ましくは、前記各筒状部材の前記側壁部の内面に保水部材が取り付けられている構成とされる。
【００２２】
かかる好ましい構成によれば、保水部材に水分を吸収させておくと、装着者の眼を覆う各筒状部材の内側の空間の湿度を適度に保つことができ、ドライアイの発症を防止できる。
【発明の効果】
【００２３】
本発明は、眼鏡が装着された状態で、花粉から眼を保護する等の防塵機能を効果的に奏する安価な眼鏡用防塵具を提供できる。
【図面の簡単な説明】
【００２４】
【図１】図１は本実施形態に係る眼鏡用防塵具が係止された眼鏡の外観図である。図１（ａ）は正面図を示す。図１（ｂ）は平面図を示す。図１（ｃ）は図１（ａ）のＡ−Ａ断面図を示す。
【図２】図２は眼鏡用防塵具の外観図である。図２（ａ）は正面図を示す。図２（ｂ）は平面図を示す。
【図３】図３は切断部を挟んだ上下両側の部位が離間している状態を示す図である。図３（ａ）は眼鏡用防塵具の正面図を示す。図３（ｂ）は上下の係止部の間にリムを移動させることを説明するための図を示す。
【図４】図４は、眼鏡用防塵具が係止されたハーフリムタイプの眼鏡の正面図である。
【図５】図５は、眼鏡用防塵具が係止されたリムレス眼鏡の正面図である。
【図６】図６は、眼鏡用防塵具の側面図である。
【図７】図７は、係止部の具体的な構成の一つを示す図である。図７（ａ）は眼鏡用防塵具の左右一対の筒状部材の一方及び該筒状部材に取り付けられた係止部の斜視図を示す。図７（ｂ）は図７（ａ）のＢ−Ｂ断面図を示す。
【図８】図８は、左右一対の筒状部材の一方及び該筒状部材に取り付けられた係止部の正面図である。図８（ａ）は、切断部を挟んだ上下両側の部位が接している状態を示す。図８（ｂ）及び図８（ｃ）は、切断部を挟んだ上下両側の部位が離間している状態を示す。
【図９】図９は、左右一対の筒状部材の一方及び該筒状部材に取り付けられた係止部の正面図である。図９（ａ）は、切断部を挟んだ上下両側の部位が接している状態を示す。図９（ｂ）は、図９（ａ）に示す矢印Ｘ方向から見た切断部近傍の拡大図を示す。
【図１０】図１０は、従来の防塵眼鏡の概略構成図である。
【発明を実施するための形態】
【００２５】
図１は本実施形態に係る眼鏡用防塵具１が係止された眼鏡５の外観図であり、図１（ａ）は正面図を示し、図１（ｂ）は平面図を示し、図１（ｃ）は図１（ａ）のＡ−Ａ断面図を示す。図２は眼鏡用防塵具１の外観図であり、図２（ａ）は正面図を示し、図２（ｂ）は平面図を示す。図１に示すように、眼鏡５は、左右一対のレンズ５１と、各レンズ５１を保持すると共に各レンズ５１の外周部全体に亘って配設された左右一対のリム５２と、各リム５２に取り付けられた左右一対の鼻パット５３と、左右一対のヨロイ５５等を介して各リム５２に連結された左右一対のテンプル５４とを備えている。尚、各リム５２の材質は、特に限定されず、金属、セルロイド等とすることができる。
【００２６】
一方、図１及び図２に示すように、眼鏡用防塵具１は、左右一対の筒状部材２と、各筒状部材２を各リム５２の外周部に係止させる係止部３とを備えている。尚、各筒状部材２及び各係止部３の材質は、ポリアミド系樹脂とすることができる。
【００２７】
図１（ａ）乃至図１（ｃ）に示すように、各筒状部材２は、各リム５２の外周部に係止された状態においては、各レンズ５１の後方（装着者が眼鏡５を装着したときに、各レンズ５１よりも装着者の顔面側となる位置）にそれぞれ位置し、各筒状部材２の周縁部２１、２２が前後に位置するような向きとなる。前側に位置する周縁部２１（以下、「前方周縁部２１」という）は、各レンズ５１の後面又は各リム５２の後面と当接する。
【００２８】
図１（ｃ）及び図２（ａ）に示すように、各筒状部材２は、可撓性を有し、各筒状部材２の側壁部２３の左右何れか一方側の部位には、前方周縁部２１から他の周縁部２２（以下、「後方周縁部２２」という）にかけて切断された切断部２４が設けられている。側壁部２３の左右何れか一方側の部位とは、各リム５２の外周部に各筒状部材２が係止された眼鏡５を装着者が装着したときに、各筒状部材２の側壁部２３の左右何れか一方側の端部及び該端部の近傍に位置する部位である。本実施形態では、図２（ａ）に示すように、左の筒状部材２における側壁部２３の左右何れか一方側の部位は、側壁部２３の右側端部近傍であり、該右側端部近傍に切断部２４が設けられている。また、本実施形態では、右の筒状部材２における側壁部２３の左右何れか一方側の部位は、側壁部２３の左側端部近傍であり、該左側端部近傍に切断部２４が設けられている。
【００２９】
図３は、切断部２４を挟んだ上下両側の部位２４ａ、２４ｂが離間している状態を示す図である。図３（ａ）は眼鏡用防塵具１の正面図を示し、図３（ｂ）は筒状部材２の上下それぞれの部位に取り付けられた係止部３の間にリム５２を移動させることを説明するための図を示す。図３（ａ）に示すように、各筒状部材２は、上述のように、可撓性を有し、且つ、切断部２４が設けられているので、各筒状部材２においては、切断部２４を挟んだ上下両側の部位２４ａ、２４ｂを離間させて、各筒状部材２の上側の部位（各リム５２の外周部に各筒状部材２が係止された眼鏡５を装着者が装着したときに、切断部２４より上方に位置する部位）と、下側の部位（各リム５２の外周部に各筒状部材２が係止された眼鏡５を装着者が装着したときに、切断部２４より下方に位置する部位）との間の距離を大きくできる。また、図１（ｃ）に示すように、各筒状部材２の側壁部２３は、鼻パット５３と干渉しないように、周方向の一部において、前後方向の長さが短くされている。
【００３０】
図１（ｃ）に示すように、係止部３は、各筒状部材２の上下それぞれの部位に取り付けられている。上述のように、各筒状部材２においては、各筒状部材２の切断部２４を挟んだ上下両側の部位２４ａ、２４ｂを離間させて、上側の部位と下側の部位との距離を大きくすることができる。このため、各筒状部材２の切断部を挟んだ上下両側の部位２４ａ、２４ｂを離間させることで、各筒状部材２の上下それぞれの部位に取り付けられた係止部３の間の距離を大きくすることができる。各係止部３は、各筒状部材２の前方周縁部２１の前方位置にまで突出している。各係止部３は、筒状部材２の側壁部２３の外面２３ｂに取り付けられ、筒状部材２の前方周縁部２１の前方位置にまで突出している基端部３１と、基端部３１の前端に設けられ、各筒状部材２の径内方向に向くように折り曲げられた先端部３２とを備える。また、各筒状部材２に取り付けられた係止部３は、各筒状部材２と一体的に形成されたものであってもよい。図２（ａ）には、各筒状部材２の上側の部位に２つ、下側の部位に２つ係止部３が取り付けられているが、各筒状部材２の上下それぞれの部位において、係止部３が取り付けられる数は１以上であれば、特に限定されない。
【００３１】
次に、以上に説明した眼鏡用防塵具１を眼鏡５に係止することについて説明する。まず、図３（ａ）に示すように、各筒状部材２の切断部２４を挟んだ上下両側の部位２４ａ、２４ｂを離間させて、上下の係止部３の間の距離を、各リム５２の上下方向の寸法より大きくする。次に、図３（ｂ）に示すように、各筒状部材２を各リム５２の後方から前方に移動させ、上下の係止部３の間に各レンズ５１及び各リム５２を位置させる。次に、図１（ｃ）に示すように、上下の係止部３の基端部３１がリム５２の外周部に接するまで、各筒状部材２の切断部２４を挟んだ上下両側の部位２４ａ、２４ｂを互いに近づける。これにより、上下の係止部３の先端部３１が各リム５２の外周部の前方に回り込み、各筒状部材２が各リム５２の外周部に係止され、眼鏡用防塵具１が眼鏡５に係止される。
【００３２】
一方、眼鏡用防塵具１が眼鏡５に係止された状態で、各筒状部材２の切断部２４を挟んだ上下両側の部位２４ａ、２４ｂを離間させ、上下の係止部３の間の距離を各リム５２の上下方向の寸法よりも大きくし、各筒状部材２を各リム５２に対して後方に移動させることで、眼鏡用防塵具１を眼鏡５から取り外すことができる。
【００３３】
以上のように、各筒状部材２は、各筒状部材２に取り付けられた係止部３によって、各リム５２の外周部に係止される。各係止部３は各筒状部材２の前方周縁部２１の前方位置にまで突出している。このため、図１に示すように、各筒状部材２は、各リム５２の外周部に係止された状態では、各リム５２の後方に位置する。各筒状部材２が各リム５２の後方に位置すると、各筒状部材２の内側の空間の前方が各レンズ５１及び各リム５２によって塞がれる。また、各筒状部材２が各リム５２の後方に位置するため、各筒状部材２が各リム５２の外周部に係止された眼鏡５を装着すると、各筒状部材２の後方周縁部２２が装着者の左右それぞれの眼の周囲と当接し、各筒状部材２の内側の空間の後方が装着者の顔部によって塞がれる。従って、各筒状部材２が各リム５２の外周部に係止された眼鏡５を装着した状態では、装着者の左右それぞれの眼が、各筒状部材２、及び、各レンズ５１又は各リム５２によって覆われ、眼鏡用防塵具１は防塵機能を奏する。
【００３４】
また、上述のように眼鏡５が装着された状態で防塵機能が奏されるため、眼鏡５の各レンズ５１が度付きレンズの場合、防塵機能が奏された状態で、度付きレンズによる視力の矯正が可能である。このため、眼鏡用防塵具１が度付きレンズを備えなくても、視力の矯正が可能である。よって、眼鏡用防塵具１は、度付きレンズを備えなくてもよく、安価に製造できる。
【００３５】
また、上述のように、各筒状部材２をリム５２の外周部に係止する際に、上下の係止部３の間の距離を大きくすると、上下の係止部３の間に各リム５２を容易に位置させることができ、各リム５２の外周部への各筒状部材２の係止が容易となる。よって、眼鏡用防塵具１は、容易に眼鏡５に係止できる。
【００３６】
また、上下の係止部３の間の距離を、各リム５２の外周部の上下方向の寸法に応じて調整することで、上下方向の寸法が異なる複数種の各リム５２に各筒状部材２を係止できる。よって、眼鏡用防塵具１は、リム５２の上下方向の寸法が異なる複数種の眼鏡に適用できる。
【００３７】
眼鏡用防塵具１は、左右一対の各レンズの外周部の上半分、又は、下半分のみに左右一対の各リムが配設されたハーフリムタイプの眼鏡にも適用できる。図４は、眼鏡用防塵具１が係止されたハーフリムタイプの眼鏡６の正面図である。図４に示すように、各レンズ６１の外周部の上半分のみに各リム６２が配設されたハーフリムタイプの眼鏡６においては、各レンズ６１の外周部の下半分はリム６２が配設されていない。このため、各筒状部材２の下側の部位に取り付けられた係止部３は、各レンズ６１の外周部に各筒状部材２を係止する。図示していないが、各レンズの外周部の下半分のみに各リムが配設されたハーフリムタイプの眼鏡においては、各レンズの外周部の上半分はリムが配設されていない。このため、各筒状部材２の上側の部位に取り付けられた係止部３は、各レンズの外周部に各筒状部材２を係止する。
【００３８】
また、図５は、眼鏡用防塵具１が係止されたリムレス眼鏡７の正面図である。図５に示すように、眼鏡用防塵具１は、各レンズ７１の外周部にリムが配設されていないリムレス眼鏡７にも適用できる。リムレス眼鏡７は、各レンズ７１の外周部にリムが配設されていないため、各筒状部材２の上下それぞれに取り付けられた係止部３は、各レンズ６１の外周部に各筒状部材２を係止する。
【００３９】
また、図２（ａ）及び図２（ｂ）に示すように、各筒状部材２の側壁部２３の内面２３ａに保水部材４を取り付けてもよい。該保水部材４に水分を吸収させておくと、装着者の左右それぞれの眼を覆う各筒状部材２の内側の空間の湿度を適度に保つことができ、ドライアイの発症を防止できる。尚、保水部材４には、水分を吸収し、水分が自然に蒸発するものを用いることができる。例えば、フェルト、紙、海綿、スポンジ等を保水部材４として用いることができる。
【００４０】
本実施形態においては、図１（ｃ）及び図３（ｂ）に示すように、各筒状部材２の側壁部２３の外面２３ｂに係止部３の基端部３１が取り付けられているが、各筒状部材２における基端部３１の取り付け位置は限定されるものでない。図６は、眼鏡用防塵具１の側面図である。図６に示すように、基端部３１は、各筒状部材２の前方周縁部２１の外周部２１ａに取り付けられてもよい。このように、前方周縁部２１の外周部２１ａに基端部３１を取り付けた場合であっても、各筒状部材２が各レンズ又は各リムに係止した状態においては、前方周縁部２１の内周部２１ｂが各レンズの後面又は各リムの後面に当接し、各筒状部材２の内側の空間の前方が各レンズ又は各リムによって塞がれる。よって、前方周縁部２１の外周部２１ａに基端部３１が取り付けられている場合であっても、各筒状部材２の側壁部２３の外面２３ｂに係止部３の基端部３１が取り付けられている場合と同様に、防塵機能が奏される。また、前方周縁部２１の外周部２１ａに基端部３１を取り付けると、側壁部２３の外面２３ｂよりも各筒状部材２の径外方向に係止部３が突出せず、眼鏡用防塵具１のデザイン性が良く、係止部３に他の物が引っ掛かり難くなる。
【００４１】
図７は、係止部３の具体的な構成の一つを示す図である。図７（ａ）は眼鏡用防塵具１の左右一対の筒状部材２の一方及び該筒状部材２に取り付けられた係止部３の斜視図を示す。図７（ｂ）は図７（ａ）のＢ−Ｂ断面図を示す。図７に示すように、係止部３は、レンズの外周部又はリムの外周部に係止可能なスライダー３１と、筒状部材２に取り付けられ、筒状部材２の前方周縁部２１に対する前方へのスライダー３１の突出量を調整可能に、スライダー３１を前後方向に移動可能に案内するガイド３２と、スライダー３１の前後方向の移動を阻害する阻害部３３とを備える構成とすることができる。図７には、筒状部材２の上側の部位に１つ、下側の部位に２つかかる具体的構成の係止部３が取り付けられているが、筒状部材２の上下それぞれの部位において、係止部３が取り付けられる数は１以上であれば、特に限定されない。
【００４２】
スライダー３１は、前後方向に延び、前端部が筒状部材２の径内方向に向くように折り曲げられている。
【００４３】
ガイド３２は、スライダー３１を前後方向に移動可能に案内するための前後方向に延びる案内溝３２１が形成されている。案内溝３２１にはスライダー３１が前後方向に移動可能に挿入されている。
【００４４】
阻害部３３は、スライダー３１の表面に形成された凹凸構造３３１と、ガイド３２から凹凸構造３３１に向けて突出した突出部３３２とを有する。凹凸構造３３１は、凸部と凹部とが前後方向に交互に配列された構造であり、スライダー３１の表面のうちガイド３２と対向する部位に形成されている。尚、凹凸構造３３１がスライダー３１の各筒状部材２と対向する面に形成されている場合は、突起部３３２は各筒状部材２から突出する構成となる。図７（ｂ）に示すように、凹凸構造３３１の凹部に突起部３３２が嵌り込み、凹凸構造３３１の凸部と突起部３３２とによってスライダー３１の前後方向の移動が阻害される。凹凸構造３３１の凸部と突起部３３２とが互いに押し合うことで凹凸構造３３１の凸部又は突起部３３２が弾性変形するような力でスライダー３１を前後方向に引っ張ることで、スライダー３１を前後方向に移動させることができる。
【００４５】
以上のように、かかる具体的構成においては、スライダー３１が前後方向に移動可能であるので、筒状部材２の前方周縁部２１に対する前方へのスライダー３１の突出量Ｑを調整できる。このため、厚み方向の寸法が異なる複数種のレンズ８１の外周部又はリム８２の外周部にスライダー３１を係止できる。よって、かかる具体的構成によれば、レンズ８１の外周部又はリム８２の外周部の厚み方向の寸法が異なる複数種の眼鏡に眼鏡用防塵具１を適用できる。
【００４６】
また、かかる具体的構成においては、阻害部３３を有するため、例えば、眼鏡を装着した状態において、スライダー３１の自重や、装着者の顔部の動きによって、スライダー３１が不意に前方に移動し、スライダー３１の突出量Ｑが大きくなり難い。このため、かかる具体的構成においては、スライダー３１の突出量Ｑが不意に大きくなることで、スライダー３１とレンズ８１の外周部又はスライダー３１とリム８２の外周部との係止状態が解除され難く、眼鏡用防塵具１を安定した状態で眼鏡に取り付けることができる。
【００４７】
また、阻害部３３は、貫通孔が前後方向に向くように案内溝３２１に嵌め込まれた弾性体で構成することもできる。この貫通孔にはスライダー３１が挿入される。この場合、スライダー３１が弾性体に締め付けられるように、貫通孔の径を設計することで、スライダー３１と弾性体との摩擦力によってスライダー３１の前後方向の移動を阻害できる。
【００４８】
図８は、眼鏡用防塵具１の左右一対の筒状部材２の一方及び該筒状部材２に取り付けられた係止部３の正面図である。図８（ａ）は、切断部２４を挟んだ上下両側の部位２４ａ、２４ｂが接している状態を示す。図８（ｂ）及び図８（ｃ）は、切断部２４を挟んだ上下両側の部位２４ａ、２４ｂが離間している状態を示す。図８（ａ）に示すように、左右の各筒状部材２の側壁部２３の左右何れか一方側の部位のうち、切断部２４が設けられた側の部位において、切断部２４を挟んだ上下両側の部位２４ａ、２４ｂが弾性体９によって連結されていてもよい。弾性体９としては、例えば、シリコンを用いることができる。
【００４９】
切断部２４を挟んだ上下両側の部位２４ａ、２４ｂが弾性体９で連結されていることにより、図８（ｂ）に示すように、該上下両側の部位２４ａ、２４ｂを所定の距離以上離間させると、弾性体９が伸張し、弾性体９に収縮力が生じる。このため、上下両側の部位２４ａ、２４ｂが弾性体９で連結されている場合は、上下両側の部位２４ａ、２４ｂが過度に離間し難く、上下両側の部位２４ａ、２４ｂが過度に離間することにより各筒状部材２が破損することが防止される。
【００５０】
また、切断部２４を挟んだ上下両側の部位２４ａ、２４ｂを離間させる外力を各筒状部材２に加えていない状態での上下の係止部３の間の距離よりも、上下方向の寸法が大きい各レンズの外周部や各リムの外周部に各筒状部材２を係止するには、上下両側の部位２４ａ、２４ｂを離間させて、上下の係止部３の間の距離を係止対象となる各レンズや各リムの上下方向の寸法と同等にする必要がある。上下両側の部位を離間させると、上下両側の部位２４ａ、２４ｂの間の距離を元の長さに戻そうとする復元力と、上下両側の部位２４ａ、２４ｂが離間することにより弾性体９に生じる収縮力とによって、それ以上上下両側の部位２４ａ、２４ｂが離間することが防止される。このため、上述のように上下方向の寸法が大きい各レンズの外周部や各リムの外周部に各筒状部材２が係止したとき以上に、上下両側の部位２４ａ、２４ｂが不意に大きく離間して、各レンズの外周部又は各リムの外周部と各係止部３との係止状態が解除されることがより確実に防止される。よって、上下両側の部位２４ａ、２４ｂが弾性体９で連結されている場合、上述のように上下方向の寸法が大きいレンズ又はリムを有する眼鏡に眼鏡用防塵具１をより一層安定した状態で係止できる。
【００５１】
切断部２４を挟んだ上下両側の部位２４ａ、２４ｂを弾性体９で連結する形態としては、下記のものが挙げられる。１つの形態として、図８（ｂ）に示すように、切断部２４の一方側の部位２４ａの側壁部２３の外面２３ｂに弾性体９の一端部が、他方側の部位２４ｂの側壁部２３の外面２３ｂに弾性体９の他端部が取り付けられている形態が挙げられる。他の１つの形態として、図８（ｃ）に示すように、切断部２４の一方側の部位２４ａにおける他方側の部位２４ｂと対向する面２４ｃに弾性体９の一端部が、他方側の部位２４ｂにおける一方側の部位２４ａと対向する面２４ｄに弾性体９の他端部が取り付けられている形態が挙げられる。
【００５２】
図９は、眼鏡用防塵具１の左右一対の筒状部材２の一方及び該筒状部材２に取り付けられた係止部３の正面図である。図９（ａ）は、切断部２４を挟んだ上下両側の部位２４ａ、２４ｂが接している状態を示す。図９（ｂ）は、図９（ａ）に示す矢印Ｘ方向から見た切断部２４近傍の拡大図を示す。切断部２４を挟んだ上下両側の部位２４ａ、２４ｂを弾性体９で連結する形態の他の１つとして、図９に示すように、上下両側の部位２４ａ、２４ｂのそれぞれに形成された貫通孔２５ａ、２５ｂにリング状の弾性体９を挿通する形態が挙げられる。尚、図９（ｂ）に示すように、筒状部材２の側壁部２３において、側壁部２３の端部と貫通孔２５ａ、２５ｂとを繋ぐ切り込み２６を設けてもよい。このような切り込み２６を設けることで、切り込み２６を介してリング状の弾性体９を貫通孔２５ａ、２５ｂに対して挿脱でき、リング状の弾性体９が切れた際等において、該弾性体９の取替えを容易にできる。
【符号の説明】
【００５３】
１…眼鏡用防塵具、２…筒状部材、２１…前方周縁部、２２…後方周縁部、２３…側壁部、２４…切断部、３…係止部、４…保水部材、５…眼鏡、５１…レンズ、５２…リム、５３…鼻パット、６…ハーフリムタイプの眼鏡、７…リムレス眼鏡、９…弾性体
【図１】
2010211169.tif 000003
【図２】
2010211169.tif 000004
【図３】
2010211169.tif 000005
【図４】
2010211169.tif 000006
【図５】
2010211169.tif 000007
【図６】
2010211169.tif 000008
【図７】
2010211169.tif 000009
【図８】
2010211169.tif 000010
【図９】
2010211169.tif 000011
【図１０】
2010211169.tif 000012